【手続補正書】
【提出日】平成29年10月3日(2017.10.3)
【手続補正１】
【補正対象書類名】明細書
【補正対象項目名】００５８
【補正方法】変更
【補正の内容】
【００５８】
ＰＥＴベースのフィルムサンプルの結晶化度は、次の文献データに基づいて、ＰＥＴの密度および結晶化度に対する既知の値を用いて計算される。
０％結晶性ＰＥＴの密度＝１．３３５ｇ／ｃｍ3
１００％結晶性ＰＥＴの密度＝１．４５５ｇ／ｃｍ3
次に、本発明の好ましい態様を示す。
１．  コポリエステルを含むフィルムであって、前記コポリエステルは、脂肪族グリコール、芳香族ジカルボン酸、ならびに式（Ｉ）のモノマーおよび式（ＩＩ）のモノマーからなる群から選択されるコモノマー（Ｍ）から誘導される繰り返し単位を含み、コモノマー（Ｍ）はコポリエステルのグリコール部分の一部を構成する、フィルム。
【化１】
2016532003.tif 000001
（式中、ｎ＝２、３または４である）
２．  コモノマー（Ｍ）が式（Ｉ）のモノマーから選択される、上記１に記載のフィルム。
３．  コモノマー（Ｍ）が式（ＩＩ）のモノマーから選択される、上記１に記載のフィルム。
４．  モノマー（Ｍ）がコポリエステルのグリコール部分の約１〜約５０ｍｏｌ％、好ましくはコポリエステルのグリコール部分の約２０ｍｏｌ％以下、好ましくは約１８ｍｏｌ％以下の範囲で存在する、上記１、２または３に記載のフィルム。
５．  脂肪族グリコールがＣ2、Ｃ3またはＣ4脂肪族ジオールから選択される、上記１から４までのいずれか１項に記載のフィルム。
６．  脂肪族グリコールがエチレングリコールである、上記１から５までのいずれか１項に記載のフィルム。
７．  脂肪族グリコールの炭素原子の数がコモノマー（Ｍ）の数（ｎ）と同じである、上記１から６までのいずれか１項に記載のフィルム。
８．  ｎ＝２である、上記１から７までのいずれか１項に記載のフィルム。
９．  芳香族ジカルボン酸がナフタレンジカルボン酸およびテレフタル酸から選択される、上記１から８までのいずれか１項に記載のフィルム。
１０．  芳香族ジカルボン酸が２，６−ナフタレンジカルボン酸である、上記１から９までのいずれか１項に記載のフィルム。
１１．  コポリエステルが式（ＩＩＩ）を有する、上記１から１０までのいずれか１項に記載のフィルム。
【化２】
2016532003.tif 000002
(III)
（式中、
基Ｘは前記脂肪族グリコールの炭素鎖であり、
ｐおよびｑは、それぞれ、脂肪族グリコール含有繰り返しエステル単位およびモノマー（Ｍ）含有繰り返しエステル単位のモル分率であり、
基Ｚは式（ｌｂ）および式（ＩＩｂ）からなる群から選択される）
【化３】
2016532003.tif 000003
１２．  芳香族ジカルボン酸がテレフタル酸である、上記１から９までのいずれか１項に記載のフィルム。
１３．  芳香族ジカルボン酸がテレフタル酸であり、コポリエステルが式（ＩＶ）を有する、上記１から９までのいずれか１項に記載のフィルム。
【化４】
2016532003.tif 000004
(IV)
（式中、
基Ｘは前記脂肪族グリコールの炭素鎖であり、
ｐおよびｑは、それぞれ、脂肪族グリコール含有繰り返しエステル単位およびモノマー（Ｍ）含有繰り返しエステル単位のモル分率であり、
基Ｚは式（ｌｂ）および式（ＩＩｂ）からなる群から選択される）
【化５】
2016532003.tif 000005
１４．  配向フィルム、特に二軸配向フィルムである、上記１から１３までのいずれか１項に記載のフィルム。
１５．  前記芳香族ジカルボン酸がナフタレンジカルボン酸であり、フィルムの結晶化度がフィルム密度から計算して、０％結晶性のポリエチレンナフタレート（ＰＥＮ）の密度１．３２５ｇ／ｃｍ3および１００％結晶性のＰＥＮの密度１．４０７ｇ／ｃｍ3に基づいて少なくとも約１０％であり、あるいは、前記芳香族ジカルボン酸がテレフタル酸であり、フィルムの結晶化度がフィルム密度から計算して、０％結晶性のポリエチレンテレフタレート（ＰＥＴ）の密度１．３３５ｇ／ｃｍ3および１００％結晶性のＰＥＴの密度１．４５５ｇ／ｃｍ3に基づいて少なくとも約１０％である、上記１から１４までのいずれか１項に記載のフィルム。
１６．  脂肪族グリコール、芳香族ジカルボン酸、ならびに式（Ｉ）のモノマーおよび式（ＩＩ）のモノマーからなる群から選択されるコモノマー（Ｍ）から誘導される繰り返し単位を含むコポリエステルであって、コモノマー（Ｍ）はコポリエステルのグリコール部分の一部を構成し、コポリエステルの酸部分は第１の芳香族ジカルボン酸からなり、１以上の追加の芳香族ジカルボン酸を含んでいてもよく、グリコール部分はコモノマー（Ｍ）および１以上の脂肪族グリコールからなる、コポリエステル。
【化６】
2016532003.tif 000006
（式中、ｎ＝２、３または４である）
１７．  上記２から１３までのいずれか１項に定義されている通りである、上記１６に記載のコポリエステル。
１８．  上記１６または１７に記載のコポリエステルを含むファイバーまたは成形組成物または成形品。
【手続補正２】
【補正対象書類名】特許請求の範囲
【補正対象項目名】全文
【補正方法】変更
【補正の内容】
【特許請求の範囲】
【請求項１】
コポリエステルを含むフィルムであって、前記コポリエステルは、脂肪族グリコール、芳香族ジカルボン酸、ならびに式（Ｉ）のモノマーおよび式（ＩＩ）のモノマーからなる群から選択されるコモノマー（Ｍ）から誘導される繰り返し単位を含み、コモノマー（Ｍ）はコポリエステルのグリコール部分の一部を構成し、コモノマー（Ｍ）はコポリエステルのグリコール部分の１〜１８ｍｏｌ％の範囲で存在し、前記コポリエステルのグリコール部分はコモノマー（Ｍ）並びにＣ2、Ｃ3およびＣ4脂肪族ジオールから選択される１以上の脂肪族グリコールからなり、前記コポリエステルの酸部分は第１の芳香族ジカルボン酸および任意成分としての１以上の追加の芳香族ジカルボン酸からなる、フィルム。
【化１】
2016532003.tif 000007
（式中、ｎ＝２、３または４である）
【請求項２】
コモノマー（Ｍ）が式（Ｉ）のモノマーから選択される、請求項１に記載のフィルム。
【請求項３】
コモノマー（Ｍ）が式（ＩＩ）のモノマーから選択される、請求項１に記載のフィルム。
【請求項４】
モノマー（Ｍ）がコポリエステルのグリコール部分の１５ｍｏｌ％以下の量で存在する、請求項１、２または３に記載のフィルム。
【請求項５】
脂肪族グリコールがＣ2、Ｃ3またはＣ4脂肪族ジオールから選択される、請求項１から４までのいずれか１項に記載のフィルム。
【請求項６】
脂肪族グリコールがエチレングリコールである、請求項１から５までのいずれか１項に記載のフィルム。
【請求項７】
脂肪族グリコールの炭素原子の数がコモノマー（Ｍ）の数（ｎ）と同じである、請求項１から６までのいずれか１項に記載のフィルム。
【請求項８】
ｎ＝２である、請求項１から７までのいずれか１項に記載のフィルム。
【請求項９】
芳香族ジカルボン酸がナフタレンジカルボン酸およびテレフタル酸から選択される、請求項１から８までのいずれか１項に記載のフィルム。
【請求項１０】
芳香族ジカルボン酸が２，６−ナフタレンジカルボン酸である、請求項１から９までのいずれか１項に記載のフィルム。
【請求項１１】
コポリエステルが式（ＩＩＩ）を有する、請求項１から１０までのいずれか１項に記載のフィルム。
【化２】
2016532003.tif 000008
(III)
（式中、
基Ｘは前記脂肪族グリコールの炭素鎖であり、
ｐおよびｑは、それぞれ、脂肪族グリコール含有繰り返しエステル単位およびモノマー（Ｍ）含有繰り返しエステル単位のモル分率であり、
基Ｚは式（ｌｂ）および式（ＩＩｂ）からなる群から選択される）
【化３】
2016532003.tif 000009
【請求項１２】
芳香族ジカルボン酸がテレフタル酸である、請求項１から９までのいずれか１項に記載のフィルム。
【請求項１３】
芳香族ジカルボン酸がテレフタル酸であり、コポリエステルが式（ＩＶ）を有する、請求項１から９までのいずれか１項に記載のフィルム。
【化４】
2016532003.tif 000010
(IV)
（式中、
基Ｘは前記脂肪族グリコールの炭素鎖であり、
ｐおよびｑは、それぞれ、脂肪族グリコール含有繰り返しエステル単位およびモノマー（Ｍ）含有繰り返しエステル単位のモル分率であり、
基Ｚは式（ｌｂ）および式（ＩＩｂ）からなる群から選択される）
【化５】
2016532003.tif 000011
【請求項１４】
配向フィルム、特に二軸配向フィルムである、請求項１から１３までのいずれか１項に記載のフィルム。
【請求項１５】
前記芳香族ジカルボン酸がナフタレンジカルボン酸であり、フィルムの結晶化度がフィルム密度から計算して、０％結晶性のポリエチレンナフタレート（ＰＥＮ）の密度１．３２５ｇ／ｃｍ3および１００％結晶性のＰＥＮの密度１．４０７ｇ／ｃｍ3に基づいて少なくとも約１０％であり、あるいは、前記芳香族ジカルボン酸がテレフタル酸であり、フィルムの結晶化度がフィルム密度から計算して、０％結晶性のポリエチレンテレフタレート（ＰＥＴ）の密度１．３３５ｇ／ｃｍ3および１００％結晶性のＰＥＴの密度１．４５５ｇ／ｃｍ3に基づいて少なくとも約１０％である、請求項１から１４までのいずれか１項に記載のフィルム。
【請求項１６】
脂肪族グリコール、芳香族ジカルボン酸、ならびに式（Ｉ）のモノマーおよび式（ＩＩ）のモノマーからなる群から選択されるコモノマー（Ｍ）から誘導される繰り返し単位を含むコポリエステルであって、コモノマー（Ｍ）はコポリエステルのグリコール部分の一部を構成し、コモノマー（Ｍ）はコポリエステルのグリコール部分の１〜１８ｍｏｌ％の範囲で存在し、前記コポリエステルの酸部分は第１の芳香族ジカルボン酸および任意成分としての１以上の追加の芳香族ジカルボン酸からなり、前記グリコール部分はコモノマー（Ｍ）並びにＣ2、Ｃ3およびＣ4脂肪族ジオールから選択される１以上の脂肪族グリコールからなる、コポリエステル。
【化６】
2016532003.tif 000012
（式中、ｎ＝２、３または４である）
【請求項１７】
請求項２から１３までのいずれか１項に定義されている通りである、請求項１６に記載のコポリエステル。
【請求項１８】
請求項１６または１７に記載のコポリエステルを含むファイバーまたは成形組成物または成形品。